(57)【要約】【課題】本発明は、鼻腔内生体組織採取具に関するもので、検出物に対する検出精度のバラツキを抑制することを目的とするものである。【解決手段】そしてこの目的を達成するために、本発明の鼻腔内生体組織採取具６は、その基体８に、鼻鏡に装着する装着部７を設けたものであるので、鼻鏡によって鼻腔内を広げ、その部分を目視できる状態とし、この状態でスライド体１４の採取部１３を鼻腔内生体組織に当接させて、この鼻腔内生体組織の一部を採取することが出来る。また、前記スライド体１４の採取部１３の、前記本体１２からの突出量を調整する調整部を設けた。【選択図】図１
2013183763.tif 000002
【特許請求の範囲】
【請求項１】
鼻鏡への装着部を有する基体と、この基体の上面に設けた回転軸に回転自在に装着された採取体とを備え、前記採取体は、前記基体の回転軸に装着され、この回転軸を軸として基体の上面に回動自在に設けた本体と、この本体に対して、前後にスライド自在に装着されると共に、先端部に採取部を備えたスライド体と、このスライド体を前後に操作する操作体とを有し、前記本体には、前記操作体の前後操作範囲を設定する操作範囲設定部を設けると共に、前記スライド体には、その採取部の前記本体からの突出量を調整する調整部を設けた鼻腔内生体組織採取具。
【請求項２】
スライド体の調整部は、その外周に設けた、雄ネジにより構成し、操作体には、前記調整部が螺合する雌ネジを設けた請求項１に記載の鼻腔内生体組織採取具。
【請求項３】
操作体は、円筒形状とし、その貫通孔に雌ネジを設けた請求項２に記載の鼻腔内生体組織採取具。
【請求項４】
本体には、スライド体の後端部が挿入されるスライド路を設け、このスライド路の長手方向の中部に対応する前記本体部分には、この本体の表面から前記スライド路にまで達する開口部を設け、この開口部に操作体を設置すると共に、この開口部の前後端間で操作範囲設定部を形成した請求項１から３のいずれか一つに記載の鼻腔内生体組織採取具。
【発明の詳細な説明】
【技術分野】
【０００１】
本発明は、生体組織採取具とそれを用いた生体組織採取方法に関するものである。
【背景技術】
【０００２】
生体組織採取具として一般的に用いられているものとしては、めん棒が存在する。例えば、このめん棒によって、鼻腔内の粘膜を採取し、インフルエンザの検査キットによりインフルエンザの簡易検査が行われている（例えば、下記特許文献１）。
【先行技術文献】
【特許文献】
【０００３】
【特許文献１】特開２００１−２８９８４４号公報
【発明の概要】
【発明が解決しようとする課題】
【０００４】
前記従来例における課題は、鼻腔内生体組織を定量採取することが難しいということであった。
【０００５】
すなわち、めん棒は綿を固めて球状にしたものであって、例えば、鼻腔内の粘膜を採取するときには、それを鼻腔内生体組織に擦り付けることになるのであるが、この作業中には鼻腔内生体組織に対するめん棒の当接状態を確認することができないので、毎回採取する鼻腔内生体組織量がばらついてしまう。そして、このように採取する鼻腔内生体組織の量がばらつくと、採取した鼻腔内生体組織中に存在する検出物の量もばらつくものとなり、その結果として、検出精度のバラツキが発生してしまう。
【０００６】
そこで、本発明は、検出物に対する検出精度のバラツキを抑制することを目的とするものである。
【課題を解決するための手段】
【０００７】
そして、この目的を達成するために本発明の鼻腔内生体組織採取具は、鼻鏡への装着部を有する基体と、この基体の上面に設けた回転軸に回転自在に装着された採取体とを備え、前記採取体は、前記基体の回転軸に装着され、この回転軸を軸として基体の上面に回動自在に設けた本体と、この本体に対して、前後にスライド自在に装着されると共に、先端部に採取部を備えたスライド体と、このスライド体を前後に操作する操作体とを有し、前記本体には、前記操作体の前後操作範囲を設定する操作範囲設定部を設けると共に、前記スライド体には、その採取部の前記本体からの突出量を調整する調整部を設け、これにより所期の目的を達成するものである。
【発明の効果】
【０００８】
以上のように本発明の鼻腔内生体組織採取具は、鼻鏡への装着部を有する基体と、この基体の上面に設けた回転軸に回転自在に装着された採取体とを備え、前記採取体は、前記基体の回転軸に装着され、この回転軸を軸として基体の上面に回動自在に設けた本体と、この本体に対して、前後にスライド自在に装着されると共に、先端部に採取部を備えたスライド体と、このスライド体を前後に操作する操作体とを有し、前記本体には、前記操作体の前後操作範囲を設定する操作範囲設定部を設けると共に、前記スライド体には、その採取部の前記本体からの突出量を調整する調整部を設けたので、検出物に対する検出精度のバラツキを抑制することができる。
【０００９】
すなわち、本発明の鼻腔内生体組織採取具は、その基体に、鼻鏡に装着する装着部を設けたものであるので、鼻鏡によって鼻腔内を広げ、その部分を目視できる状態とし、この状態でスライド体の採取部を鼻腔内生体組織に当接させて、この鼻腔内生体組織の一部を採取することが出来る。
【００１０】
したがって、採取した鼻腔内生体組織の量もほぼ一定のものとなるので、検出物に対する検出精度のバラツキを抑制することができる。
【００１１】
また、本発明においては、前記スライド体の採取部の、前記本体からの突出量を調整する調整部を設けたので、鼻腔内生体組織の一部を採取する人物に適した採取作業を簡単に行えるようになる。
【００１２】
すなわち、鼻腔内生体組織の一部を採取する場合、採取する場所は、個人によって差異を有するものであるが、本発明においては、前記スライド体の採取部の、前記本体からの突出量を調整する調整部を設けたので、鼻腔内生体組織の一部を採取する人物に適した採取作業を簡単に行えるようになるのである。
【図面の簡単な説明】
【００１３】
【図１】本発明の実施の形態１における鼻腔内生体組織採取具を鼻鏡に装着した状態を        示す斜視図
【図２】本発明の実施の形態１における鼻腔内生体組織採取具を鼻鏡に装着した状態を        示す斜視図
【図３】同鼻鏡の斜視図
【図４】同鼻腔内生体組織採取具の基体の斜視図
【図５】同鼻腔内生体組織採取具の採取体の斜視図
【図６】同鼻腔内生体組織採取具の採取体の斜視図
【図７】同鼻腔内生体組織採取具の採取体の分解斜視図
【図８】同鼻腔内生体組織採取具の採取体の平面図
【図９】同鼻腔内生体組織採取具の採取体の平面図
【図１０】同鼻腔内生体組織採取具の採取体の平面図
【図１１】同鼻腔内生体組織採取具の採取体の平面図
【発明を実施するための形態】
【００１４】
以下に、本発明の実施の形態を図面とともに詳細に説明する。
【００１５】
（実施の形態１）
図１、図２において、１は鼻鏡で、この鼻鏡１は、図３に示すごとく、中央部に軸２を有し、一端側は左右にバネ３によって開かれた握り手部分４となっている。
【００１６】
また、この鼻鏡１の他端側は、鼻穴から鼻腔内に挿入する為の挿入部５となっており、握り手部分４を握っていない状態では、この挿入部５は閉じた状態となる。つまり、図１から図３は、鼻穴に挿入部５を挿入したのちに、握り手部分４を握ることでこの挿入部５を左右に広げ、これにより鼻腔内の生体組織を目視し易くした状態である（鼻穴および鼻腔内は図示せず）。
【００１７】
本実施形態において、特徴的なのは、この鼻鏡１に図３に示す鼻腔内生体組織採取具６を図１、図２に示すごとく装着したことである。
【００１８】
すなわち、本実施形態の鼻腔内生体組織採取具６は、図１、図２及び図４に示す
鼻鏡１への装着部７を有する基体８と、この基体８の上面に設けた回転軸９に回転自在に装着された採取体１０とを備えている。前記基体８は、平板状でその先端側には、鼻鏡１を挟むことでこの基体８を鼻鏡１に装着する為の装着部７を設けている。また、この基体８の先端側の上面には、回転軸９が一体に設けられ、この上面の後端側には、凹凸により形成された回動抑制部１１が一体に設けられている。
【００１９】
前記採取体１０は、前記基体８の回転軸９に装着されるもので、図５から図７に示すように、前記回転軸９を軸として基体８の上面に回動自在に設けた本体１２と、この本体１２に対して、前後にスライド自在に装着されると共に、先端部に採取部１３を備えたスライド体１４と、このスライド体１４を前後に操作する操作体１５とを有する。
【００２０】
前記本体１２は、図５から図７に示すように、細長い箱状となっており、その中心軸部分には、この本体１２の先端側から後端側に向けてスライド路１６が設けられている。
【００２１】
また、前記スライド路１６にその後端側が挿入されるスライド体１４は、図７に示すごとく、細長い柱状となっており、その後端側は、円柱状、中部は角柱状となっており、先端側は、横向きに曲げられることで、採取部１３が形成されている。
【００２２】
前記スライド路１６は、スライド体１４が、その後端側から挿入されるようになっているので、後端側は円筒状、中部から先端側は角筒状としている。
【００２３】
また、本体１２のスライド路１６の長手方向の中部に対応する部分には、この本体１２の表面から前記スライド路１６にまで達する長方形の開口部１７を設け、この開口部１７に操作体１５を設置するようにしている。
【００２４】
つまり、スライド体１４の中部外周には、採取部１３の前記本体１２からの突出量を調整する調整部として、雄ネジ１８を設けている。また、操作体１５は円筒形状となっており、その貫通孔１９には雌ネジ２０を設けている。そして、図７に示す分解状態で、まず、開口部１７に操作体１５を設け、次に、スライド体１４の後端側を本体１２のスライド路１６に挿入し、雌ネジ２０に対して、雄ネジ１８を螺合させた後に、このスライド体１４の後端をスライド路１６の後端側に挿入し、図５の状態とする。
【００２５】
つまり、鼻腔内生体組織の一部を採取する場合、採取する場所は、個人によって差異を有するものであるが、本実施形態においては、前記スライド体１４の採取部１３の、前記本体１２からの突出量を調整することができるようにしたものである。
【００２６】
具体的には、図８に示す状態は、鼻腔内の生体組織採取部が手前側に存在する人物から生体組織を採取する時の状態を示し、この時には、操作体１５を回動させることで、採取部１３を本体１２側に引き込んだ状態としている。一方、鼻腔内の生体組織採取部が奥側に存在する人物から生体組織を採取する時は、図１０の状態とする。この時には、操作体１５を回動させることで、採取部１３を本体１２側から前方に押し出した状態とする。
【００２７】
このように、本実施形態においては、前記スライド体１４の採取部１３の、前記本体１２からの突出量を調整することができるように、調整部として、たとえば雄ネジ１８を設けたので、鼻腔内生体組織の一部を採取する人物に適した採取作業を簡単に行えるようになるのである。
本実施形態においては、図１、図２の状態で、挿入部５を、鼻穴から鼻腔内に挿入し、次に回転軸９を軸として、採取体１０を回動させて、採取部１３を生体組織の採取部分に当接させ、その後、図８または図１０の状態の操作体１５を開口部１７の先端側から後端側にまでスライド操作させる。すると、スライド体１４の採取部１３で生体組織の一部が採取されることになる。ここで理解されるように、初期設定において、採取部１３の本体１２からの突出量を、鼻腔内生体組織の一部を採取する人物に対応させて調整したが、採取部１３の操作量は開口部１７の前端から後端までの一定値としている。つまり、この開口部１７の前後端間で、スライド体１４の操作範囲設定部を形成しているのである。
【００２８】
以上の説明からも理解されるように、本実施形態における鼻腔内生体組織採取具６を用いて鼻腔内の生体組織の一部を採取する場合、医療従事者は、図１、図２に示した鼻鏡１の挿入部５を鼻穴に挿入する。そして、握り手部分４を握ることで、左右の挿入部５を広げ、これにより鼻腔内を目視できる状態とする。このとき、握り手部分４を握っているのは片手であって、空いている他の手で、上述のごとく、本体１２を回転軸９を軸として、採取体１０を回動させ、採取部１３を生体組織の採取部分に当接させ、その後、図８または図１０の状態の操作体１５を開口部１７の先端側から後端側にまでスライド操作させる。
すると、スライド体１４の採取部１３で生体組織の一部が採取されることになる。本実施形態で特徴的なのは、初期設定において、採取部１３の本体１２からの突出量を、鼻腔内生体組織の一部を採取する人物に対応させて調整し、また、採取部１３の操作量を開口部１７の前端から後端までの一定値としているので、各人に対して適切な生体組織の採取を行うことが出来る。このため、毎回の鼻腔内生体組織の採取量はほぼ一定となるので、この採取した鼻腔内生体組織中における検出物質の検出精度が高いものとなる。
【００２９】
なお、本実施形態においては、採取部１３を図１から図１１から理解されるように、鼻腔内生体組織側に折り曲げられているので、これが後方に移動させられれば鼻腔内生体組織を掻き取ることとなる。
【００３０】
また、本実施形態では、鼻腔内生体組織中におけるアミロイドベータの量を検出することで、例えば、アルツハイマーの進行度合いを検査しようとしている。なお、この検査に関しては、すでに学会（国際アルツハイマー病学会議）で報告された事項であるので、詳細な記載は省略する。
【００３１】
なお、本実施形態においては、本体１２のスライド路１６の先端側に窓２１を設けており、また、スライド体１４の中部にはメモリ２２を設けている。このため、各人の採取部１３の突出量を窓２１を介して、目視確認することが出来、この値は、例えばカルテに記録することで、次回測定時の参考とすることが出来るようになる。
【産業上の利用可能性】
【００３２】
すなわち、本発明の鼻腔内生体組織採取具は、その基体に、鼻鏡に装着する装着部を設けたものであるので、鼻鏡によって鼻腔内を広げ、その部分を目視できる状態とし、この状態でスライド体の採取部を鼻腔内生体組織に当接させて、この鼻腔内生体組織の一部を採取することが出来る。
【００３３】
したがって、採取した鼻腔内生体組織の量もほぼ一定のものとなるので、検出物に対する検出精度のバラツキを抑制することができる。
【００３４】
また、本発明においては、前記スライド体の採取部の、前記本体からの突出量を調整する調整部を設けたので、鼻腔内生体組織の一部を採取する人物に適した採取作業を簡単に行えるようになる。
【００３５】
すなわち、鼻腔内生体組織の一部を採取する場合、採取する場所は、個人によって差異を有するものであるが、本発明においては、前記スライド体の採取部の、前記本体からの突出量を調整する調整部を設けたので、鼻腔内生体組織の一部を採取する人物に適した採取作業を簡単に行えるようになるのである。
【００３６】
したがって、鼻腔内生体組織採取具として極めて有用なものとなる。
【符号の説明】
【００３７】
１  鼻鏡
２  軸
３  バネ
４  握り手部分
５  挿入部
６  鼻腔内生体組織採取具
７  装着部
８  基体
９  回転軸
１０  採取体
１１  回動抑制部
１２  採取部
１４  スライド体
１５  操作体
１６  スライド路
１７  開口部
１８  雄ネジ
１９  貫通孔
２０  雌ネジ
２１  窓
２２  メモリ
【図１】
2013183763.tif 000003
【図２】
2013183763.tif 000004
【図３】
2013183763.tif 000005
【図４】
2013183763.tif 000006
【図５】
2013183763.tif 000007
【図６】
2013183763.tif 000008
【図７】
2013183763.tif 000009
【図８】
2013183763.tif 000010
【図９】
2013183763.tif 000011
【図１０】
2013183763.tif 000012
【図１１】
2013183763.tif 000013